(57)【要約】【課題】端末装置と可動部に設けられた通信部との近距離無線通信を容易に確立することが可能な画像読取装置を提供する。【解決手段】この画像読取装置１００は、用紙を載置する載置部１と、載置部１の下方に設けられ、用紙の画像を読み取るセンサ部３と、載置部１の下方に設けられ、センサ部３の近傍かつ上方の所定位置に配置されるスマートフォン９０との近距離無線通信を確立する第１通信部５と、センサ部が設けられるとともに、第１通信部５が上方側に設けられ、センサ部および第１通信部５を一体的に可動させる可動部４とを備える。【選択図】図１
2016167732.tif 000002
【特許請求の範囲】
【請求項１】
媒体を載置する載置部と、
前記載置部の下方に設けられ、前記媒体の情報を読み取るセンサ部と、
前記載置部の下方に設けられ、前記センサ部の近傍かつ上方の所定位置に配置される端末装置との近距離無線通信を確立する第１通信部と、
前記センサ部が設けられるとともに、前記第１通信部が上方側に設けられ、前記センサ部および前記第１通信部を一体的に可動させる可動部とを備える、画像読取装置。
【請求項２】
前記可動部は、細長形状を有し、
前記第１通信部は、前記可動部の長手方向の一方端近傍から他方端近傍にわたって沿設されるアンテナ部を含む、請求項１に記載の画像読取装置。
【請求項３】
前記可動部は、前記可動部の長手方向に延びるとともに、前記端末装置が配置される面に対して傾斜する傾斜面を有し、
前記アンテナ部は、前記傾斜面の長手方向の一方端近傍から他方端近傍にわたって設けられている、請求項２に記載の画像読取装置。
【請求項４】
前記センサ部は、細長形状を有し、
前記アンテナ部は、前記センサ部の周囲を取り囲むように周状に設けられている、請求項２または３に記載の画像読取装置。
【請求項５】
前記載置部の上方に開閉可能に設けられる蓋部をさらに備え、
前記蓋部は、閉状態において、前記可動部の移動方向と略平行な上面を有し、
前記第１通信部は、前記蓋部の上面上に配置された前記端末装置と近距離無線通信を行うように構成されている、請求項１〜４のいずれか１項に記載の画像読取装置。
【請求項６】
前記載置部の上方に開閉可能に設けられる蓋部をさらに備え、
前記第１通信部は、前記可動部の長手方向の端部から所定間隔離間した位置に配置されるアンテナ部を含み、
前記蓋部は、閉状態において前記可動部の移動方向と略平行な底面を有し、平面視において前記可動部により前記アンテナ部が移動可能な範囲に略対応する範囲が窪むように形成される凹部を含み、
前記第１通信部は、前記凹部の底面上に配置された前記端末装置と近距離無線通信を行うように構成されている、請求項１に記載の画像読取装置。
【請求項７】
前記第１通信部を介して前記端末装置からの電磁波を検出したことに基づいて、前記端末装置との前記近距離無線通信を確立可能な位置まで前記可動部を移動させる制御を行う制御部をさらに備える、請求項１〜６のいずれか１項に記載の画像読取装置。
【請求項８】
前記近距離無線通信よりも広範囲で通信可能な通信により、前記端末装置と通信を行う第２通信部をさらに備え、
前記制御部は、前記第１通信部から前記第２通信部に切り替えて前記端末装置との通信を確立するための情報を、前記第１通信部を介して前記端末装置に送信する制御を行うように構成されている、請求項７に記載の画像読取装置。
【請求項９】
前記可動部は、前記媒体の情報を読み取るために移動可能な範囲よりも広い範囲内で、前記端末装置との前記近距離無線通信を確立可能な位置まで移動されるように構成されている、請求項１〜８のいずれか１項に記載の画像読取装置。
【請求項１０】
前記可動部は、前記媒体の情報の非読取時には、前記載置部の上面の中央と対向する位置に配置される、請求項１〜９のいずれか１項に記載の画像読取装置。
【請求項１１】
前記第１通信部を介して前記端末装置からの電磁波を検出したことをユーザに対して通知する通知部をさらに備える、請求項１〜１０のいずれか１項に記載の画像読取装置。
【発明の詳細な説明】
【技術分野】
【０００１】
この発明は、画像読取装置に関し、特に、画像を読み取るセンサ部が設けられた可動部を備える画像読取装置に関する。
【背景技術】
【０００２】
従来、画像を読み取るセンサ部が設けられた可動部を備える画像読取装置が知られている（たとえば、特許文献１参照）。
【０００３】
上記特許文献１には、用紙が配置される載置部と、載置部の上方に配置される蓋部と、通信部およびセンサ部が設けられ、載置部の下方に配置される可動部とを備えた画像読取装置が開示されている。通信部は、可動部の下方側に設けられている。蓋部の上面（可動部の上方）には、端末装置が配置される。可動部に設けられた通信部は、蓋部の上面に配置された端末装置との近距離無線通信を確立するための電磁波を端末装置から受信するように構成されている。センサ部は、可動部の移動により蓋部の上面に対向する範囲を移動しながら用紙の画像を読み取るように構成されている。
【先行技術文献】
【特許文献】
【０００４】
【特許文献１】特開２０１３−９１２５６号公報
【発明の概要】
【発明が解決しようとする課題】
【０００５】
上記特許文献１では、端末装置が可動部の上方に配置される蓋部の上面に配置され、通信部が端末装置から離間する側である可動部の下方側に設けられていることに起因して、端末装置と通信部との近距離無線通信が確立されにくい場合があるという問題点があると考えられる。
【０００６】
この発明は、上記のような課題を解決するためになされたものであり、この発明の１つの目的は、端末装置と可動部に設けられた通信部との近距離無線通信を容易に確立することが可能な画像読取装置を提供することである。
【課題を解決するための手段】
【０００７】
この発明の一の局面による画像読取装置は、媒体を載置する載置部と、載置部の下方に設けられ、媒体の情報を読み取るセンサ部と、載置部の下方に設けられ、センサ部の近傍かつ上方の所定位置に配置される端末装置との近距離無線通信を確立する第１通信部と、センサ部が設けられるとともに、第１通信部が上方側に設けられ、センサ部および受信部を一体的に可動させる可動部とを備える。
【０００８】
この発明の一の局面による画像読取装置では、上記のように、センサ部の近傍かつ上方の所定位置に配置される端末装置との近距離無線通信を確立する第１通信部と、第１通信部を上方側に有し、センサ部および第１通信部を一体的に可動させる可動部とを設ける。これにより、可動部の上方側（端末装置側）に第１通信部が配置されるので、可動部の下方側に第１通信部が配置される場合と比較して、端末装置と第１通信部とを近接して配置することができる。その結果、端末装置と可動部に設けられた第１通信部との近距離無線通信を容易に確立することができる。
【０００９】
上記一の局面による画像読取装置において、好ましくは、可動部は、細長形状を有し、第１通信部は、可動部の長手方向の一方端近傍から他方端近傍にわたって沿設されるアンテナ部を含む。このように構成すれば、アンテナ部が可動部の長手方向の略全幅に設けられるので、端末装置からの電磁波をより広い範囲で受信することができる。その結果、端末装置と可動部に設けられた第１通信部との近距離無線通信をより容易に確立することができる。
【００１０】
この場合、好ましくは、可動部は、可動部の長手方向に延びるとともに、端末装置が配置される面に対して傾斜する傾斜面を有し、アンテナ部は、傾斜面の長手方向の一方端近傍から他方端近傍にわたって設けられている。このように構成すれば、傾斜面に設けられたアンテナ部により、端末装置からの電磁波を受信できる範囲を広げることができる。すなわち、アンテナ部の指向性を広げることができるので、端末装置との近距離無線方式による通信を確立可能な範囲をより広く確保することができる。その結果、端末装置と可動部に設けられた第１通信部との近距離無線通信を一層容易に確立することができる。
【００１１】
上記第１通信部が可動部の長手方向の一方端近傍から他方端近傍にわたって沿設されるアンテナ部を含む構成において、好ましくは、センサ部は、細長形状を有し、アンテナ部は、センサ部の周囲を取り囲むように周状に設けられている。このように構成すれば、アンテナ部が細長形状のセンサ部の周囲を取り囲むので、可動部のより広い範囲にアンテナ部が設けられる。その結果、端末装置からの電磁波をより広い範囲から受信することができるので、端末装置との近距離無線方式による通信を確立可能な範囲をより広く確保することができる。その結果、端末装置と可動部に設けられた第１通信部との近距離無線通信を一層容易に確立することができる。
【００１２】
上記一の局面による画像読取装置において、好ましくは、載置部の上方に開閉可能に設けられる蓋部をさらに備え、蓋部は、閉状態において、可動部の移動方向と略平行な上面を有し、第１通信部は、蓋部の上面上に配置された端末装置と近距離無線通信を行うように構成されている。このように構成すれば、画像読取装置の上部に設けられた蓋部に端末装置を配置することにより、端末装置と第１通信部との通信を確立することができるので、可動部に設けられた第１通信部と端末装置との近距離無線通信をより容易に確立することができる。
【００１３】
上記一の局面による画像読取装置において、好ましくは、載置部の上方に開閉可能に設けられる蓋部をさらに備え、第１通信部は、可動部の長手方向の端部から所定間隔離間した位置に配置されるアンテナ部を含み、蓋部は、閉状態において可動部の移動方向と略平行な底面を有し、平面視において可動部によりアンテナ部が移動可能な範囲に略対応する範囲が窪むように形成される凹部を含み、第１通信部は、凹部の底面上に配置された端末装置と近距離無線通信を行うように構成されている。このように構成すれば、凹部に端末装置が配置されるので、蓋部上での端末装置の移動を抑制することができる。その結果、端末装置が移動により第１通信部から離間して、端末装置と第１通信部との近距離無線通信が確立されなくなることを回避することができる。また、凹部により、端末装置の配置可能な範囲を明確にすることができる。
【００１４】
上記一の局面による画像読取装置において、好ましくは、第１通信部を介して端末装置からの電磁波を検出したことに基づいて、端末装置との近距離無線通信を確立可能な位置まで可動部を移動させる制御を行う制御部をさらに備える。このように構成すれば、制御部により、端末装置をアンテナ部から離れた位置に配置しても、端末装置からの電磁波を検出して、端末装置との近距離無線通信を確立可能な位置まで可動部が移動されるので、ユーザが所定の操作を行う必要がなく、端末装置との近距離無線通信を容易に確立することができる。
【００１５】
この場合、好ましくは、近距離無線通信よりも広範囲で通信可能な通信により、端末装置と通信を行う第２通信部をさらに備え、制御部は、第１通信部から第２通信部に切り替えて端末装置との通信を確立するための情報を、第１通信部を介して端末装置に送信する制御を行うように構成されている。このように構成すれば、第１通信部が端末装置との近距離無線通信を確立すれば、その後は第２通信部に切り替えて、より広い範囲において端末装置との通信を行うことができる。その結果、ユーザの利便性を向上させることができる。
【００１６】
上記一の局面による画像読取装置において、好ましくは、可動部は、媒体の情報を読み取るために移動可能な範囲よりも広い範囲内で、端末装置との近距離無線通信を確立可能な位置まで移動されるように構成されている。このように構成すれば、アンテナ部によって、より広い範囲で通信を確立することができるので、より広い範囲に端末装置を配置することができる。
【００１７】
上記一の局面による画像読取装置において、好ましくは、可動部は、媒体の情報の非読取時には、載置部の上面の中央と対向する位置に配置される。このように構成すれば、媒体の情報の非読取時に、可動部を載置部の上面の端部と対向する位置に配置した場合と比較して、端末装置と可動部に設けられる第１通信部との間の距離が長くなりすぎることを抑制することができるので、アンテナ部はより確実に端末装置からの電磁波を受信することができる。
【００１８】
上記一の局面による画像読取装置において、好ましくは、第１通信部を介して端末装置からの電磁波を検出したことをユーザに対して通知する通知部をさらに備える。このように構成すれば、アンテナ部を介して端末装置からの電磁波を検出したことを、ユーザに容易に認識させることができる。
【発明の効果】
【００１９】
本発明によれば、上記のように、端末装置と可動部に設けられた通信部との近距離無線通信を容易に確立することが可能な画像読取装置を提供することができる。
【図面の簡単な説明】
【００２０】
【図１】本発明の第１実施形態による画像読取装置の全体構成を示した斜視図である。
【図２】本発明の第１実施形態による画像読取装置およびスマートフォンのブロック図である。
【図３】本発明の第１実施形態による画像読取装置を表示部側の側方から見た断面図である。
【図４】本発明の第１実施形態による制御部による画像読取装置とスマートフォンとの通信を確立するための処理を説明するためのフローチャートである。
【図５】本発明の第２実施形態による画像読取装置の全体構成を示した斜視図である。
【図６】本発明の第３実施形態による画像読取装置を表示部側の側方から見た断面図である。
【図７】本発明の第４実施形態による画像読取装置の全体構成を示した斜視図である。
【発明を実施するための形態】
【００２１】
以下、本発明の実施形態を図面に基づいて説明する。
【００２２】
（第１実施形態）
図１〜図４を参照して、本発明の第１実施形態による画像読取装置１００の構成について説明する。
【００２３】
本発明の第１実施形態による画像読取装置１００は、図１に示すように、画像を有する用紙が配置される載置部１と、筐体部２と、用紙の画像を読み取るセンサ部３およびアンテナ部５１が設けられた可動部４とを備えている。これにより、可動部４は、センサ部３およびアンテナ部５１を一体的に可動させるように構成されている。アンテナ部５１およびセンサ部３は、共に、載置部１の下方に設けられている。筐体部２は、スマートフォン９０を載置可能に構成されている。アンテナ部５１は、スマートフォン９０との通信を確立するためにスマートフォン９０からの電磁波を受信するように構成されている。また、画像読取装置１００は、用紙をガラス製の載置部１に固定して、下方から光を照射して画像を読み取る方式である、いわゆるフラットベッド方式を採用している。なお、スマートフォン９０は、本発明の「端末装置」の一例である。また、用紙および用紙の画像は、それぞれ、本発明の「媒体」および「媒体の情報」の一例である。
【００２４】
また、画像読取装置１００は、図２に示すように、アンテナ部５１を含む第１通信部５と、第２通信部６と、記憶部７と、制御部８とをさらに備えている。第１通信部５は、スマートフォン９０と、近距離無線通信方式による通信を行うことが可能なように構成されている。なお、本明細書では、近距離無線通信方式とは、ＮＦＣ（Ｎｅａｒ  Ｆｉｅｌｄ  Ｃｏｍｍｕｎｉｃａｔｉｏｎ）方式による通信を意味する。第２通信部６は、スマートフォン９０と、近距離無線通信方式よりも広範囲で通信可能な通信方式による通信を確立することが可能なように構成されている。なお、近距離無線通信方式よりも広範囲で通信可能な通信方式とは、Ｗｉ−Ｆｉ（登録商標）方式およびＢｌｕｅｔｏｏｔｈ（登録商標）方式などによる通信である。第１実施形態では、第２通信部６は、近距離無線通信方式よりも広範囲で通信可能な通信方式としてＷｉ−Ｆｉ方式を用いている。
【００２５】
ここで、スマートフォン９０は、アンテナ部５１を介して第１通信部５とＮＦＣ方式による通信を行う第３通信部９１と、第２通信部６とＷｉ−Ｆｉ方式による通信を行う第４通信部９２とを備えている。また、スマートフォン９０には、画像読取装置１００とＮＦＣ方式およびＷｉ−Ｆｉ方式による通信を行うための所定のアプリケーションがインストールされている。なお、スマートフォン９０には、ＮＦＣ方式による通信を行うために第３通信部９１から電磁波（ビーム）を出射させる所定の設定（以下、ビーム設定とする）がスマートフォン９０上で事前に行われている。
【００２６】
次に、画像読取装置１００の各部の詳細について説明する。
【００２７】
図１に示すように、載置部１は、筐体部２により水平に保持されている。また、載置部１は、透明な矩形状の板からなる。
【００２８】
筐体部２は、本体部２０と、蓋部２１とを含んでいる。
【００２９】
本体部２０は、直方体形状（箱形状）を有している。また、本体部２０の内側には、可動部４と、第１通信部５（図２参照）と、第２通信部６（図２参照）と、制御部８（図２参照）とが配置されている。また、本体部２０は、上側において載置部１を保持している。
【００３０】
また、本体部２０の内部には、載置部１の下方（Ｚ２方向）に、長手方向（Ｘ方向）に延びる細長形状のガイドレール２０ａが設けられている。このガイドレール２０ａには、ガイドレール２０ａに沿って可動部４が長手方向（Ｘ方向）に移動可能に取り付けられている。すなわち、本体部２０の長手方向（Ｘ方向）が、可動部４の移動方向（Ｘ方向）となる。
【００３１】
また、本体部２０には、側面に表示部２０ｂが設けられている。この表示部２０ｂは、液晶ディスプレイなどからなり、スマートフォン９０のビーム設定が有効になっているかをユーザに問い合わせるメッセージなどを表示するように構成されている。また、本体部２０には、可動部４を移動させる駆動源となるモータ２０ｃ（図２参照）が設けられている。このモータ２０ｃは、２段階の速度（通常速度および低速度）で可動部４を移動させることが可能なように構成されている。
【００３２】
蓋部２１は、載置部１を覆うように、本体部２０の上側に開閉可能に取り付けられている。また、蓋部２１は、載置部１の上方（Ｚ１方向）に位置する上面２１ａを有している。また、蓋部２１の上面２１ａには、スマートフォン９０が載置される。上面２１ａは、可動部４の移動方向と平行である。
【００３３】
また、蓋部２１の上面２１ａには、環状のＬＥＤ（Ｌｉｇｈｔ  Ｅｍｉｔｔｉｎｇ  Ｄｉｏｄｅ）からなる発光部２１ｂが設けられている。この発光部２１ｂは、アンテナ部５１を介してスマートフォン９０からの電磁波を検出したことを発光によりユーザに通知するように構成されている。具体的には、発光部２１ｂは、スマートフォン９０との通信状態により発光色（発光の有無を含む）が変化するように構成されている。たとえば、発光部２１ｂは、上面２１ａに載置されたスマートフォン９０からの電磁波が検出されていない場合、発光しない（消灯となる）。また、発光部２１ｂは、上面２１ａに載置されたスマートフォン９０からの電磁波が検出されるものの、スマートフォン９０との通信が確立されていない場合、赤色に発光する。また、発光部２１ｂは、上面２１ａに載置されたスマートフォン９０からの電磁波が検出され、かつ、スマートフォン９０との通信が確立された場合、緑色に発光する。なお、発光部２１ｂは、本発明の「通知部」の一例である。
【００３４】
可動部４は、水平面内の移動方向（Ｘ方向）に直交する方向（Ｙ方向）に延びるとともに、上下方向（Ｚ方向）を厚み方向とする板状形状を有している。また、可動部４は、載置部１（および閉状態の蓋部２１）と上下に対向するように載置部１の下方（Ｚ２方向）に配置されている。また、可動部４は、画像の非読取時には、蓋部２１の上面２１ａの中央と対向する位置に配置される。なお、図３に示すように、蓋部２１に載置されたスマートフォン９０（第３通信部９１）と、蓋部２１の上面２１ａの中央と対向する位置に配置されたアンテナ部５１との間の距離は、スマートフォン９０からの電磁波を検出することが可能な距離Ｌ１以下となる。
【００３５】
また、可動部４は、電磁波を検出した場合に、蓋部２１の上面２１ａの中央と対向する位置から、ガイドレール２０ａの移動方向側の一方端部（Ｘ２方向側の端部）、ガイドレール２０ａの移動方向側の他方端部（Ｘ１方向側の端部）、の順に移動し、再び、蓋部２１の上面２１ａの中央と対向する位置に復帰するように構成されている。以下、この可動部４の一連の移動を、可動部４の１往復移動とする。但し、１往復移動の途中において、スマートフォン９０からの強い電磁波を受信し場合には、制御部８により、可動部４が停止されるとともに、スマートフォン９０とのＮＦＣ方式による通信が確立されるように構成されている。なお、可動部４は、１往復移動を最大で２回繰り返すように構成されている。また、可動部４は、制御部８によってモータ２０ｃ（図２参照）の設定が変更されることにより、２回目の１往復移動を１回目の１往復移動よりも低速で行うように構成されている。
【００３６】
また、図１に示すように、可動部４は、可動部４の長手方向（Ｙ方向）に延びるとともに、閉じられた状態の蓋部２１の上面２１ａに対して傾斜する一対の傾斜面４ａと、一対の傾斜面４ａ同士を接続するように一対の傾斜面４ａの間に配置されるとともに、蓋部２１（閉じられた状態の蓋部２１）の上面２１ａに対して平行な平行面４ｂとを有している。なお、平行面４ｂおよび一対の傾斜面４ａは、可動部４の載置部１側（上方側）の面である。また、可動部４は、載置部１に配置された用紙の大きさに合わせて移動範囲が変化するように構成されている。すなわち、可動部４は、画像を読み取る際には、載置部１に配置された用紙を読み取るのに必要な範囲のみを移動するように構成されている。
【００３７】
また、可動部４には、上記の通り、センサ部３およびアンテナ部５１が設けられている。
【００３８】
センサ部３は、可動部４の長手方向（Ｙ方向）に延びる細長形状を有している。また、センサ部３は、平行面４ｂ上に一部が露出するように可動部４に設けられている。また、センサ部３は、上面２１ａ（載置部１）に対向する範囲を移動しながらコンタクトイメージセンサー（ＣＩＳ）方式により用紙の画像を読み取るように構成されている。具体的には、センサ部３は、ＬＥＤなどの光源部（図示せず）と、Ｙ方向に一列に並ぶ複数のレンズ部３０と、Ｙ方向に一列に並ぶ複数のＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ（図示せず）とを含んでいる。そして、センサ部３は、光源部からの光をレンズ部３０を通して用紙に照射するとともに、その反射光をＣＭＯＳセンサで検出するように構成されている。
【００３９】
また、アンテナ部５１は、細長形状のセンサ部３の長手方向（Ｙ方向）に沿って延びるとともに、可動部４の傾斜面４ａの長手方向（Ｙ方向）の一方端４ｃ近傍から他方端４ｄ近傍にわたって設けられている（沿設されている）。また、アンテナ部５１は、センサ部３の周囲を取り囲むように周状に設けられている。具体的には、アンテナ部５１は、一対の傾斜面４ａ上において傾斜面４ａの長手方向（Ｙ方向）に延びる一対の長手部５１ａと、長手部５１ａの端部同士を平行面４ｂおよび一対の傾斜面４ａに跨って短手方向（Ｘ方向）に接続する一対の短手部５１ｂとを有している。
【００４０】
また、アンテナ部５１は、蓋部２１の上面２１ａに載置されたスマートフォン９０とのＮＦＣ方式による通信を確立するための電磁波（ＮＦＣ方式による通信を確立するための所定の情報）を受信可能に構成されている。
【００４１】
具体的には、図３に示すように、アンテナ部５１は、スマートフォン９０（第３通信部９１）が距離Ｌ１（一例として、１５ｃｍ）以内に配置されることにより、スマートフォン９０からの電磁波（以下、微弱な電磁波とする）を検出することが可能となる。なお、この電磁波の検出により、スマートフォン９０が蓋部２１の上面２１ａに載置されたことが、画像読取装置１００側で把握される。なお、アンテナ部５１（第１通信部５）は、可動部の上方側（Ｚ１方向側）に設けられている。
【００４２】
また、アンテナ部５１は、スマートフォン９０（第３通信部９１）がアンテナ部５１から距離Ｌ２（一例として、２０ｍｍ）以内に配置され、スマートフォン９０からの電磁波（以下、強い電磁波とする）を受信することにより、ＮＦＣ方式による通信を確立することが可能となる。具体的には、アンテナ部５１は、スマートフォン９０からの強い電磁波を受信することにより、電磁誘導作用により電力を発生させるように構成されている。そして、アンテナ部５１は、アンテナ部５１に接続される後述するＩＣ部５２（図２参照）に電力を供給することにより、ＩＣ部５２を起動させて、スマートフォン９０とのＮＦＣ方式による通信を確立するように構成されている。
【００４３】
なお、アンテナ部５１と蓋部２１の上面２１ａに載置されたスマートフォン９０の第３通信部９１との高さ方向（Ｚ方向）の距離Ｌ３は、距離Ｌ２よりも小さくなるように設定されている。
【００４４】
第１通信部５は、スマートフォン９０の第３通信部９１とＮＦＣ方式により通信可能に構成されている。また、図２に示すように、第１通信部５は、アンテナ部５１と、ＩＣ部５２とを含んでいる。ＩＣ部５２は、アンテナ部５１に接続される高周波回路（図示せず）と、メモリ（図示せず）と、電源回路（図示せず）とを有している。なお、メモリには、スマートフォン９０とのＮＦＣ方式による通信を確立するための情報と、第１通信部５から第２通信部６に切り替えてスマートフォン９０とのＷｉ−Ｆｉ方式による通信を確立するための情報（スマートフォン９０側で画像読取装置１００の第２通信部６を特定するための情報）とが保存されている。
【００４５】
第２通信部６は、スマートフォン９０の第４通信部９２とＷｉ−Ｆｉ方式により通信可能に構成されている。また、第２通信部６は、センサ部３において読み取られた用紙の画像情報をスマートフォン９０の第４通信部９２に送信するように構成されている。
【００４６】
記憶部７は、センサ部３において読み取られた用紙の画像情報を保存可能に構成されている。また、記憶部７には、画像読取装置１００を動作させるために必要な各種情報が保存されている。
【００４７】
制御部８は、アンテナ部５１を介してスマートフォン９０からの微弱な電磁波を検出したことに基づいて、スマートフォン９０とのＮＦＣ方式による通信を確立可能な位置まで可動部４（図１参照）を移動させる制御を行うように構成されている。
【００４８】
具体的には、制御部８は、スマートフォン９０が蓋部２１の上面２１ａ（図１参照）に載置され、アンテナ部５１がスマートフォン９０からの微弱な電磁波を検出したことをトリガーとして、可動部４（図１参照）に１往復移動させる制御を行うように構成されている。また、制御部８は、１往復移動の途中において、アンテナ部５１がスマートフォン９０からの強い電磁波を受信した場合には、１往復移動の途中の位置において可動部４を停止させる制御を行うように構成されている。そして、制御部８は、画像読取装置１００の第１通信部５とスマートフォン９０の第３通信部９１とのＮＦＣ方式による通信を確立する制御を行うように構成されている。
【００４９】
また、制御部８は、第１通信部５から第２通信部６に切り替えてスマートフォン９０との通信を確立するための情報を、アンテナ部５１を介してＮＦＣ方式の通信によりスマートフォン９０に送信する制御を行うように構成されている。
【００５０】
また、制御部８は、可動部４（図１参照）の１回目の１往復移動で、アンテナ部５１がスマートフォン９０からの強い電磁波を受信できなかった場合（ＩＣ部５２を起動させることができなかった場合）には、可動部４に２回目の１往復移動をさせる制御を行うように構成されている。なお、制御部８は、モータ２０ｃの設定を変更することにより、可動部４の２回目の移動速度を１回目の移動速度よりも遅くする制御を行うように構成されている。
【００５１】
ここで、画像読取装置１００には、用紙の画像を読み取ることが許容される通常モードと、用紙の画像を読み取ることが許容されない通信確立モードとの２つのモードがある。制御部８は、蓋部２１の上面２１ａ（図１参照）に載置されたスマートフォン９０からの電磁波が検出されてから第２通信部６とスマートフォン９０の第４通信部９２との通信が確立されるまでの間、画像読取装置１００のモードの設定を、通常モードから通信確立モードに切り替える制御を行うように構成されている。
【００５２】
次に、図１、図２および図４を参照して、画像読取装置１００とスマートフォン９０とのＷｉ−Ｆｉ方式による通信を確立する処理について説明する。
【００５３】
まず、ステップＳ１において、制御部８により、アンテナ部５１を介してスマートフォン９０からの微弱な電磁波が検出されたことが把握される。すなわち、画像読取装置１００が蓋部２１の上面２１ａ（図１参照）に載置されたスマートフォン９０を認識する。そして、ステップＳ２に進み、制御部８により、画像読取装置１００のモード設定が通常モードから通信確立モードに変更される。この通信確立モードに設定されている間においては、画像読取装置１００は、画像の読み取りが制限される。そして、ステップＳ３に進み、制御部８により、発光部２１ｂが、消灯から赤色に発光される。これにより、ユーザは、画像読取装置１００が、スマートフォン９０を検知したことを認識することが可能となる。そして、ステップＳ４に進み、制御部８により、可動部４が１往復移動を行う。なお、この際の移動範囲は、画像を読み取るために移動可能な範囲に対応する範囲Ａ１（図３参照）である。そして、ステップＳ５に進む。
【００５４】
そして、ステップＳ５において、制御部８により、ＩＣ部５２の電源が起動されたか否かが判断される。すなわち、制御部８により、アンテナ部５１を介してスマートフォン９０からの強い電磁波が検出されたか否かが判断される。ＩＣ部５２の電源が起動されたならば、ステップＳ６に進む。また、ＩＣ部５２の電源が起動されないならばステップＳ９に進む。
【００５５】
そして、ステップＳ６において、制御部８により、可動部４が１往復移動の途中で停止される。そして、制御部８により、画像読取装置１００の第１通信部５と、スマートフォン９０の第３通信部９１とのＮＦＣ方式による通信が確立される。そして、ステップＳ７に進み、制御部８により、発光部２１ｂの発光色が、赤色から緑色に変更される。これにより、ユーザは、画像読取装置１００の第１通信部５と、スマートフォン９０の第３通信部９１とのＮＦＣ方式による通信が確立したことを認識することが可能となる。そして、ステップＳ８に進み、制御部８により、第１通信部５から第２通信部６に切り替えてスマートフォン９０とのＷｉ−Ｆｉ方式による通信を確立するための情報がアンテナ部５１を介してスマートフォン９０に送信される。
【００５６】
また、ステップＳ５おいて、ＩＣ部５２の電源が起動されないならばステップＳ９に進み、制御部８により、可動部４の１往復移動が合計で２回繰り返されたか否かが判断される。可動部４の１往復移動が合計で２回繰り返されていないならば、ステップＳ１０に進み、制御部８により、可動部４の移動速度を減速する設定がモータ２０ｃに対してなされる。そして、再び、ステップＳ４において、制御部８により、減速設定がなされた可動部４が２回目の１往復移動を行う。そして、ステップＳ５において、再び、ＩＣ部５２の電源が起動されないならば、ステップＳ９を経てステップＳ１１に進む。
【００５７】
そして、ステップＳ１１において、制御部８により、表示部２０ｂにスマートフォン９０のビーム設定が有効になっていない可能性がある旨のメッセージが表示される。たとえば、表示部２０ｂに「携帯電話のビーム設定がＯＮになっていますか？」とのメッセージを表示する。
【００５８】
第１実施形態では、以下のような効果を得ることができる。
【００５９】
第１実施形態では、上記のように、センサ部３の近傍かつ上方の所定位置に配置されるスマートフォン９０との近距離無線通信を確立する第１通信部５と、第１通信部５を上方側に有し、センサ部３および第１通信部５を一体的に可動させる可動部４とを設ける。これにより、可動部４の上方側（スマートフォン９０側）に第１通信部５が配置されるので、可動部４の下方側に第１通信部５が配置される場合と比較して、スマートフォン９０と第１通信部５とを近接して配置することができる。その結果、スマートフォン９０と可動部４に設けられた第１通信部５との近距離無線通信を容易に確立することができる。
【００６０】
また、第１実施形態では、上記のように、可動部４を、細長形状に形成し、第１通信部５に、可動部４の長手方向の一方端近傍から他方端近傍にわたって沿設されるアンテナ部５１を設ける。これにより、アンテナ部５１が可動部４の長手方向の略全幅に設けられるので、スマートフォン９０からの電磁波をより広い範囲で受信することができる。その結果、スマートフォン９０と可動部４に設けられた第１通信部５との近距離無線通信をより容易に確立することができる。
【００６１】
また、第１実施形態では、上記のように、可動部４に、可動部４の長手方向に延びるとともに、スマートフォン９０が配置される面に対して傾斜する傾斜面を設け、アンテナ部５１を、傾斜面の長手方向の一方端近傍から他方端近傍にわたって設ける。これにより、傾斜面に設けられたアンテナ部５１により、スマートフォン９０からの電磁波を受信できる範囲を広げることができる。すなわち、アンテナ部５１の指向性を広げることができるので、スマートフォン９０との近距離無線方式による通信を確立可能な範囲をより広く確保することができる。その結果、スマートフォン９０と可動部４に設けられた第１通信部５との近距離無線通信を一層容易に確立することができる。
【００６２】
また、第１実施形態では、上記のように、センサ部３を、細長形状に形成し、アンテナ部５１を、センサ部３の周囲を取り囲むように周状に設ける。これにより、アンテナ部５１が細長形状のセンサ部３の周囲を取り囲むので、可動部４のより広い範囲にアンテナ部５１が設けられる。その結果、スマートフォン９０からの電磁波をより広い範囲から受信することができるので、スマートフォン９０との近距離無線方式による通信を確立可能な範囲をより広く確保することができる。その結果、スマートフォン９０と可動部４に設けられた第１通信部５との近距離無線通信を一層容易に確立することができる。
【００６３】
また、第１実施形態では、上記のように、載置部１の上方に開閉可能な蓋部２１を設け、蓋部２１に、閉状態において、可動部４の移動方向と略平行となる上面を設け、第１通信部５を、蓋部２１の上面上に配置されたスマートフォン９０と近距離無線通信を行うように構成する。これにより、画像読取装置の上部に設けられた蓋部２１にスマートフォン９０を配置することにより、スマートフォン９０と第１通信部５との通信を確立することができるので、可動部４に設けられた第１通信部５とスマートフォン９０との近距離無線通信をより容易に確立することができる。
【００６４】
また、第１実施形態では、上記のように、第１通信部５を介してスマートフォン９０からの電磁波を検出したことに基づいて、スマートフォン９０との近距離無線通信を確立可能な位置まで可動部４を移動させる制御を行う制御部を設ける。これにより、制御部により、スマートフォン９０をアンテナ部５１から離れた位置に配置しても、スマートフォン９０からの電磁波を検出して、スマートフォン９０との近距離無線通信を確立可能な位置まで可動部４が移動されるので、ユーザが所定の操作を行う必要がなく、スマートフォン９０との近距離無線通信を容易に確立することができる。
【００６５】
また、第１実施形態では、上記のように、近距離無線通信よりも広範囲で通信可能な通信により、スマートフォン９０と通信を行う第２通信部６を設け、制御部を、第１通信部５から第２通信部６に切り替えてスマートフォン９０との通信を確立するための情報を、第１通信部５を介してスマートフォン９０に送信する制御を行うように構成する。これにより、第１通信部５がスマートフォン９０との近距離無線通信を確立すれば、その後は第２通信部６に切り替えて、より広い範囲においてスマートフォン９０との通信を行うことができる。その結果、ユーザの利便性を向上させることができる。
【００６６】
また、第１実施形態では、上記のように、可動部４を、媒体の情報の非読取時には、載置部１の上面の中央と対向する位置に配置する。これにより、媒体の情報の非読取時に、可動部４を載置部１の上面の端部と対向する位置に配置した場合と比較して、スマートフォン９０と可動部４に設けられる第１通信部５との間の距離が長くなりすぎることを抑制することができるので、アンテナ部５１はより確実にスマートフォン９０からの電磁波を受信することができる。
【００６７】
また、第１実施形態では、上記のように、第１通信部５を介してスマートフォン９０からの電磁波を検出したことをユーザに対して通知する通知部を設ける。これにより、アンテナ部５１を介してスマートフォン９０からの電磁波を検出したことを、ユーザに容易に認識させることができる。
【００６８】
（第２実施形態）
次に、図５を参照して、第２実施形態について説明する。この第２実施形態では、制御部８によりスマートフォン９０からの微弱な電磁波が検出されることにより可動部４が移動を開始するように構成した上記第１実施形態と異なり、ユーザによりボタン部２２０ｄが押下されることによって、可動部４が移動を開始するように構成する例について説明する。なお、上記第１実施形態と同様の構成は、第１実施形態と同じ符号を付して図示するとともに説明を省略する。
【００６９】
図５に示すように、第２実施形態による画像読取装置２００では、筐体部２の本体部２０には、ボタン部２２０ｄが設けられている。
【００７０】
ボタン部２２０ｄは、スマートフォン９０が蓋部２１の上面２１ａに載置された後、ユーザにより押下されることにより、第１通信部５と、スマートフォン９０の第３通信部９１とのＮＦＣ方式による通信を確立するために可動部４が１往復移動を開始するように構成されている。また、ユーザによりボタン部２２０ｄが押下されることによって、画像読取装置２００は、通常モードから通信確立モードに変更されるように構成されている。また、ユーザによりボタン部２２０ｄが押下されることによって、発光部２１ｂは、消灯から赤色に発光されるように構成されている。
【００７１】
第２実施形態では、以下のような効果を得ることができる。
【００７２】
第２実施形態では、上記第１実施形態と同様に、センサ部３の近傍かつ上方の所定位置に配置されるスマートフォン９０との近距離無線通信を確立する第１通信部５と、第１通信部５を上方側に有し、センサ部３および第１通信部５を一体的に可動させる可動部４とを設ける。これにより、スマートフォン９０と可動部４に設けられた第１通信部５との近距離無線通信を容易に確立することができる。
【００７３】
また、第２実施形態では、上記のように、ボタン部２２０ｄを押下することにより、可動部４が１往復移動を開始するように構成する。これにより、ボタン部２２０ｄが押下されることをトリガーとして、可動部４の１往復移動が開始されるので、蓋部２１の上面２１ａに載置されたスマートフォン９０からの微弱な電磁波が検出されない場合においても、確実に、可動部４の１往復移動を開始させることができる。
【００７４】
（第３実施形態）
次に、図６を参照して、第３実施形態について説明する。この第３実施形態では、通信確立モードで可動部４が移動する範囲が画像を読み取るために移動可能な範囲である上記第１実施形態と異なり、通信確立モードで可動部４が移動する範囲が画像を読み取るために移動可能な範囲よりも広い範囲である例について説明する。なお、上記第１実施形態と同様の構成は、第１実施形態と同じ符号を付して図示するとともに説明を省略する。
【００７５】
図６に示すように、第３実施形態による画像読取装置３００では、本体部２０のガイドレール３２０ａは、載置部１の下方（Ｚ１方向）のみならず、Ｘ１方向の本体部２０の上面２０ｅ（蓋部２１が閉じられた状態で上方に露出している面）の下方（Ｚ１方向）にまで延びている。そして、可動部４は、画像を読み取るために移動可能な範囲Ａ１よりも広い範囲Ａ２内で、スマートフォン９０とのＮＦＣ方式による通信を確立可能な位置まで移動可能なように構成されている。
【００７６】
第３実施形態では、以下のような効果を得ることができる。
【００７７】
第３実施形態では、上記第１実施形態と同様に、センサ部３の近傍かつ上方の所定位置に配置されるスマートフォン９０との近距離無線通信を確立する第１通信部５と、第１通信部５を上方側に有し、センサ部３および第１通信部５を一体的に可動させる可動部４とを設ける。これにより、スマートフォン９０と可動部４に設けられた第１通信部５との近距離無線通信を容易に確立することができる。
【００７８】
また、第３実施形態では、上記のように、可動部４を、媒体の情報を読み取るために移動可能な範囲よりも広い範囲内で、スマートフォン９０との近距離無線通信を確立可能な位置まで移動されるように構成する。これにより、アンテナ部５１によって、より広い範囲で通信を確立することができるので、より広い範囲にスマートフォン９０を配置することができる。
【００７９】
（第４実施形態）
次に、図７を参照して、第４実施形態について説明する。この第４実施形態では、可動部４の長手方向（Ｙ方向）の略全域にアンテナ部５１を設けた上記第１実施形態と異なり、可動部４の長手方向（Ｙ方向）の一部にアンテナ部４５１を設ける例について説明する。なお、上記第１実施形態と同様の構成は、第１実施形態と同じ符号を付して図示するとともに説明を省略する。
【００８０】
図７に示すように、第４実施形態による画像読取装置４００では、蓋部４２１は、載置部１の上方に開閉可能に設けられている。また、蓋部４２１は、平面視において（上方から見て）、可動部４によりアンテナ部４５１の移動可能な範囲に対応する範囲が下方に窪むように形成される凹部４２１ｄを含んでいる。また、凹部４２１ｄは、閉状態において、可動部４の移動方向と平行な底面４２１ｅを有している。スマートフォン９０は、第１通信部５との近距離無線通信を確立するために、底面４２１ｅ上に配置される。
【００８１】
また、可動部４には、Ｙ方向の中央近傍にアンテナ部４５１が設けられている。すなわち、可動部４の長手方向の端部から離間した位置には、アンテナ部４５１が設けられている。具体的には、アンテナ部４５１は、一対の傾斜面４ａ上において傾斜面４ａの長手方向（Ｙ方向）に延びるとともに、可動部４の中央近傍にのみ配置される一対の長手部４５１ａと、長手部４５１ａの端部同士を平行面４ｂおよび一対の傾斜面４ａに跨って短手方向（Ｘ方向）に接続する一対の短手部４５１ｂとを有している。
【００８２】
なお、凹部４２１ｄ（底面４２１ｅ）のＹ方向の幅Ｗ１およびアンテナ部４５１（長手部４５１ａ）のＹ方向の幅Ｗ２は、スマートフォン９０の短手方向の幅Ｗ３よりも大きい。
【００８３】
第４実施形態では、以下のような効果を得ることができる。
【００８４】
第４実施形態では、上記第１実施形態と同様に、センサ部３の近傍かつ上方の所定位置に配置されるスマートフォン９０との近距離無線通信を確立する第１通信部５と、第１通信部５を上方側に有し、センサ部３および第１通信部５を一体的に可動させる可動部４とを設ける。これにより、スマートフォン９０と可動部４に設けられた第１通信部５との近距離無線通信を容易に確立することができる。
【００８５】
また、第４実施形態では、上記のように、載置部１の上方に開閉可能な蓋部４２１を設け、第１通信部５に、可動部４の長手方向の端部から離間した位置に配置されるアンテナ部４５１を設け、蓋部４２１に、閉状態において可動部４の移動方向と略平行となる底面４２１ｅを有し、平面視において可動部４によりセンサ部３が移動可能な範囲に略対応する範囲が窪むように形成される凹部４２１ｄを設け、第１通信部５を、凹部４２１ｄの底面４２１ｅ上に配置されたスマートフォン９０と近距離無線通信を行うように構成する。これにより、凹部４２１ｄにスマートフォン９０が配置されるので、蓋部４２１上でのスマートフォン９０の移動を抑制することができる。その結果、スマートフォン９０が移動により第１通信部５から離間して、スマートフォン９０と第１通信部５との近距離無線通信が確立されなくなることを回避することができる。また、凹部４２１ｄにより、スマートフォン９０の配置可能な範囲を明確にすることができる。
【００８６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８７】
たとえば、本発明の近距離無線通信方式よりも広範囲で通信可能な通信方式としてのＷｉ−Ｆｉ（登録商標）方式により通信を行う例を示したが、本発明はこれに限られない。本発明では、Ｗｉ−Ｆｉ方式以外の近距離無線通信方式よりも広範囲で通信可能な通信方式により通信を行ってもよい。一例として、Ｂｌｕｅｔｏｏｔｈ（登録商標）方式により通信を行ってもよい。
【００８８】
また、上記第１〜第４実施形態では、本発明の通知部を発光部とした例を示したが、本発明はこれに限られない。本発明では、たとえば、本発明の通知部を音声発生部として音声によりユーザに通知を行うように構成してもよい。
【００８９】
また、上記第１〜第４実施形態では、本発明の端末装置をスマートフォンとした例を示したが、本発明はこれに限られない。本発明では、たとえば、本発明の端末装置をタブレット端末としてもよい。
【００９０】
また、上記第１〜第４実施形態では、最大で２回繰り返して可動部を往復移動させるように構成した例を示したが、本発明はこれに限られない。本発明では、１回のみ、または、最大で３回以上繰り返して可動部を往復移動させるように構成してもよい。
【００９１】
また、上記第１〜第４実施形態では、可動部の上面側の面（上面に対向する面）にのみアンテナ部を設けた例を示したが、本発明はこれに限られない。本発明では、たとえば、可動部の側面のみにアンテナ部を設けてもよい。
【００９２】
また、上記第１〜第４実施形態では、フラットベッド方式のみにより画像の読み取りが可能なように画像読取装置を構成した例を示したが、本発明はこれに限られない。本発明では、たとえば、画像読取装置にＡＤＦ（Ａｕｔｏ  Ｄｏｃｕｍｅｎｔ  Ｆｅｅｄｅｒ）をさらに設けて連続して画像を読み込むことも可能なように画像読取装置を構成してもよい。
【００９３】
また、上記第１〜第４実施形態では、画像の非読取時に、可動部を用紙載置部の中央と対向する位置に配置した例を示したが、本発明はこれに限られない。本発明では、たとえば、画像の非読取時に、可動部を用紙載置部の一方端部側に配置してもよい。
【００９４】
また、上記第１〜第４実施形態では、センサ部の周囲を取り囲むようにアンテナ部を周状に設けた例を示したが、本発明はこれに限られない。本発明では、アンテナ部がセンサ部を取り囲んでいなくてもよい。また、本発明では、たとえば、アンテナ部がセンサ部と並ぶように線状に設けられていてもよい。
【００９５】
また、上記第１〜第４実施形態では、可動部の平行面と、傾斜面とに跨るように、アンテナ部を設けた例を示したが、本発明はこれに限られない。本発明では、傾斜面または平行面のみにアンテナ部を設けてもよい。
【００９６】
また、上記第１〜第４実施形態では、可動部に一対の傾斜面を設けた例を示したが、本発明はこれに限られない。本発明では、たとえば、可動部に１つの傾斜面を設けてもよい。
【符号の説明】
【００９７】
１  載置部
３  センサ部
４  可動部
４ａ  傾斜面
４ｃ  一方端
４ｄ  他方端
５  第１通信部
６  第２通信部
８  制御部
２１、４２１  蓋部
２１ａ  上面
２１ｂ  発光部（通知部）
５１、４５１  アンテナ部
９０  スマートフォン（端末装置）
１００、２００、３００、４００  画像読取装置
４２１ｄ  凹部
４２１ｅ  底面
【図１】
2016167732.tif 000003
【図２】
2016167732.tif 000004
【図３】
2016167732.tif 000005
【図４】
2016167732.tif 000006
【図５】
2016167732.tif 000007
【図６】
2016167732.tif 000008
【図７】
2016167732.tif 000009